(57)【特許請求の範囲】
【請求項１】
車のシートに取り付け可能にしたチャイルドシートにおいて、
上記チャイルドシートを、上記車のシートベルトを用いることなく、予め上記車の上記シートに備えられた固定用金具に直接、もしくは固定解放可能な固定用ベースを介して上記シートに固定し得るようになっており、
上記チャイルドシートの座部の外側面には、上記シートベルトの腰ベルトを挟み込むベルトガイドが設けられるとともに、上記チャイルドシートの背面には、上記シートベルトの肩ベルトを挟み込む第２のベルトガイドが設けられ、
上記チャイルドシートを、上記固定用金具に固定することなく、上記車の上記シートベルトを上記ベルトガイドおよび上記第２のベルトガイドに挟み込ませることによっても直接上記シートに固定し得るようにしたことを特徴とするチャイルドシート。
【請求項２】
上記チャイルドシートの両側部には、ベビーカー本体から突設されたボスに係合してロックするロック装置が設けられており、上記ベビーカー本体に対して着脱自在としてあることを特徴とする、請求項１記載のチャイルドシート。
【請求項３】
上記チャイルドシートの下面には、上記固定用ベースに設けられた係止口に前後動によって係合される係止片と、上記固定用ベースに設けられた上方に解放する係合溝に係合する、左右方向に延びる係止杆が設けられていることを特徴とする、請求項１または２記載のチャイルドシート。
【請求項４】
上記チャイルドシートには、日除け取付部材を兼ねるハンドルが揺動固定可能に設けられていることを特徴とする、請求項１乃至３のいずれかに記載のチャイルドシート。
【請求項５】
前記ロック装置は、上記チャイルドシートに対して回動可能に装着され、その回動によって前記ボスに係合し上記チャイルドシートのロックを行うとともに、常時ロック方向に付勢されているロック部材を有することを特徴とする、請求項２記載のチャイルドシート。
【発明の詳細な説明】
【０００１】
【発明の属する技術分野】
本発明は、チャイルドシートに係り、特に車のシートに着脱可能とするとともに、ベビーカーにも着脱可能にし、さらにベビーキャリー等としても使用し得るようにしたチャイルドシートに関する。
【０００２】
【従来の技術及び発明が解決しようとする課題】
一般に、例えば１歳未満のような幼児を乗用車に乗せるような場合にはチャイルドシートを使用することが行われている。このようなチャイルドシートには、乗用車のシート部に設けられた固定用金具に上記チャイルドシートを装着固定するものと、シートのシートベルトを使用してチャイルドシートをシートに固定するものとがあり、いずれのものにおいてもチャイルドシートはシートに対して着脱可能としてある。
【０００３】
しかして、上記チャイルドシートは、乗用車のシートから取り外した場合には、幼児をチャイルドシートに寝かせたまま移動するためのキャリーとして、或いは床上に置いてロッキングチェアーまたは通常の椅子として使用することができる。
【０００４】
しかしながら、乗用車のシート部に設けられた固定用金具に装着固定するチャイルドシートの底部には上記固定用金具への固定装置、もしくは乗用車のシート部に設けられた固定用金具に装着固定するための固定用ベースへの固定装置が設けられており、そのチャイルドシートをそのままベビーカーのシートとして使用することはできない等の問題がある。また、上記固定用ベースが設けられたチャイルドシートは、乗用車のシートに固定用金具が設けられた乗用車にしか使用できず、その他の乗用車には使用できない等の問題がある。
【０００５】
本発明は、このような点に鑑み、車のシートベルトを使用してシートに固定することができるとともに、直接、もしくは固定用ベースを使用して車の固定用金具に固定することもできるようにしたチャイルドシートを得ることを目的とする。
【０００６】
【課題を解決するための手段】
本発明は、車のシートに取り付け可能にしたチャイルドシートにおいて、上記チャイルドシートを、予め車のシートに備えられた固定用金具に直接、もしくは固定解放可能な固定用ベースを介して上記シートに固定し得るようにするとともに、車のシートベルトによっても直接上記シートに固定し得るようにしたことを特徴とするチャイルドシートである。
【０００７】
上述した本発明において、チャイルドシートを、予め車のシートに備えられた固定用金具に直接、もしくは固定解放可能な固定用ベースを介して上記シートに固定し得るようにするとともに、そのチャイルドシートの両側部には、ベビーカー本体から突設されたボスに係合してロックするロック装置が設けられており、ベビーカー本体に対して着脱自在としてあることが好ましい。
【０００８】
上述した本発明において、上記チャイルドシートの下面には、固定用ベースに設けられた係止口に前後動によって係合される係止片と、上記固定用ベースに設けられた上方に解放する係合溝に係合する、左右方向に延びる係止杆が設けられていることが好ましい。
【０００９】
上述した本発明において、チャイルドシートの座部の外側面にはベルトガイドが設けられていることが好ましい。
【００１０】
上述した本発明において、チャイルドシートには、日除け取付部材を兼ねるハンドルが揺動固定可能に設けられていることが好ましい。
【００１１】
上述した本発明において、前記ロック装置は、チャイルドシートに対して回動可能に装着され、その回動によって前記ボスに係合しチャイルドシートのロックを行うとともに、常時ロック方向に付勢されているロック部材を有することが好ましい。
【００１２】
【発明の実施の形態】
以下、添付図面を参照して本発明の実施の形態について説明する。
図１は上記ベビーカー本体に装着可能としたチャイルドシート１０の形状を示す斜視図であって、チャイルドシート１０には逆Ｕ字状の日除け取付部材を兼ねるハンドル１１が揺動可能に設けられている。すなわち、チャイルドシート１０の両側部にはハンドル取付部１２が設けられており、そのハンドル取付部１２内に上記ハンドル１１の先端が挿入され揺動固定可能に装着されている。また、上記チャイルドシート１０の座部の両外側には、乗用車のシートにシートベルトを使用して上記チャイルドシート１０を固定するときの、後方側に突出するフック状のベルトガイド１３が設けられている。
【００１３】
一方、上記チャイルドシート１０の底面には、図２に示すように、その左右部に下面が凸曲状に形成されたロッキングフレーム１４、１４が互いに平行に設けられている。上記ロッキングフレーム１４、１４の間には、チャイルドシート１０の前部側に前方に向かって突出するＬ字状の係止片１５が設けられ、さらに後部側には左右方向に延びる係止杆１６が設けられている。また、背面側にはその背面に沿い上方に延びるフック状の第２のベルトガイド１７が設けられている。
【００１４】
一方、上記チャイルドシート１０を車のシートに固定するための固定用ベース１８には、その前面部に前方に突出し車のシートに設けられた固定用金具（図示せず）に係合固定される固定用腕１９が突設され、上面にはその前部位置に後方に向かって開口する係止口２０を有する係止具２１が設けられており、さらに後部位置には上方に解放する係止溝２２aを有する２個の固定用突起部２２が設けられている。
【００１５】
しかして、上記固定用ベース１８を使用してチャイルドシート１０を車のシートに装着固定する場合には、チャイルドシート１０の前部側下面に設けられている係止片１５をチャイルドシート１０を前方にスライドさせながら固定用ベース１８の係止口２０に係合させ（図３の（ｂ））、その後上記チャイルドシート１０の後部を下方に降ろし係止杆１６を固定用突起部２２の係止溝２２aに係合し、固定用ベース１８に設けられているロックレバー２３を上記係止杆１６に係合することにより固定する（図３の（a））。そこで、固定用ベース１８の固定用腕１９を車のシートに設けられた固定用金具（図示せず）に係合固定することによってチャイルドシート１０を車のシートに固定することができる。
【００１６】
一方、チャイルドシート１０を車のシート部に設けられているシートベルトを使用してシートに装着固定する場合には、図４に示すように、固定用ベース１８を取り外したチャイルドシート１０を車のシート２５上に乗せ、車のシートベルト２６を引き出し、腰ベルト２６aをチャイルドシート１０の座部の両側面に設けられているベルトガイド１３に挟み込み、その後、上記シートベルト２６の差込金具を車側のバックルに差し込む。そこで、シートベルト２６の肩ベルト２６bを図の点線で示すように引き出してチャイルドシート１０の背面側に回してそのチャイルドシート１０の背面に設けられている第２のベルトガイド１７に挟み込むことによって、そのチャイルドシート１０を車のシートに装着固定する。
【００１７】
このようにして、チャイルドシート１０を固定用ベース１８を用いて車のシートに固定するＩＳＯタイプと、シートベルト２６を使用して固定するユニバーサルタイプを兼用することができる。
【００１８】
ところで、上記ハンドル取付部１２内には、前記ベビーカー本体の左右のアームレストに突設された後述するボスに係合しチャイルドシート１０をロックするロック装置３０が設けられている。すなわち、図５及び図６は上記ロック装置３０の構成を示す断面図であり、上記ハンドル取付部１２のチャイルドシート１０側壁面には上記ボス３１に係合可能な上方に延びる切り欠き３２が形成されており、また上記ハンドル取付部１２内にはチャイルドシート１０から突出された軸３３に回動可能に装着されたロック部材３４が配設されている。
【００１９】
上記ロック部材３４には、そのロック部材３４の回動によって上記切り欠き３２内に位置するボス３１の下部に係合する爪部３５が一体的に形成されており、その爪部３５の下面には、その爪部３５の下面が上記ボス３１に当接したとき上記ロック部材３４をロック解放方向に揺動させる案内面３５aが形成されている。また、上記ロック部材３４はスプリング３６により上記爪部３５がロック方向に付勢されており、さらにその外周部にはハンドル取付部１２に形成された周方向に延びるスリット３７を経て外方に突出する摘み３８が設けられている。
【００２０】
また、ハンドル取付部１２内にはロック部材３４の軸３３に対して偏心した位置に軸３９が設けられており、その軸３９にストッパー４０が揺動可能に軸支されており、スプリング４１により常時前記ロック部材３４と反対方向に付勢されている。上記ストッパー４０にはストッパ片４２が形成されており、前記ロック部材３４がロック解除位置に移動したときに、そのストッパ片４２がロック部材３４に設けられた突起部４３に係合し、ロック部材３４をそのロック位置に自動固定するようにしてある（図６）。さらに上記ストッパー４０には下方に延びるストップ解除杆４４が形成されており、そのストップ解除杆４４の下端部には、前記ボス３１との当接によりストッパー４０をスプリング４１に抗して揺動させ、ストッパ片４２を突起部４３から離脱させるロック解除作動部４４aが形成されている。
【００２１】
しかして、チャイルドシート１０をベビーカー本体４５に装着する場合には、図７に示すように、展開状態のベビーカー本体４５の上方から左右のアームレスト４６間にチャイルドシート１０の下部を挿入するとともに、チャイルドシート１０の左右のハンドル取付部１２をアームレスト４６の上部及び外側に係合させる。そこで、チャイルドシート１０が下降してロック部材３４の案内面３５aがベビーカー本体のボス３１に当接すると、その案内面３５aによってロック部材３４がスプリング３６に抗して図５において反時計方向に回動される。したがって、爪部３５が切り欠き３２から側方に移動され、ハンドル取付部１２の切り欠き３２がボス３１に係合される。
【００２２】
このようにしてボス３１にハンドル取付部１２の切り欠き３２が係合すると、ロック部材３４がスプリング３６によって図５において時計方向に回動し、爪部３５がボス３１の下方に係合する。したがって、チャイルドシート１０がその位置にロックされ、さらにハンドル取付部１２の前部及び後部がアームレスト４６上に載置されるとともにベルトガイド１３が手押し杆４７に当接し、チャイルドシート１０がベビーカー本体４５に装着固定され（図８）、ベビーカーとして機能させることができる。
【００２３】
一方、チャイルドシート１０をベビーカー本体４５から取り外す場合には、摘み３８を持って図６に示すように上方に回動させると、ロック部材３４が反時計方向に回動し爪部３５がロック解除位置に移動される。このようにしてロック部材３４がロック解除位置に回動すると、ストッパー４０がスプリング４１によって軸３９を中心として揺動し、ストッパ片４２がロック部材３４の突起部４３に係合し、ロック部材３４の回動が阻止されロック部材３４がそのロック解除位置に自動固定される。
【００２４】
そこで、チャイルドシート１０を上方に持ち上げることによってチャイルドシート１０をベビーカー本体４５から取り外すことができる。一方、上述のようにチャイルドシート１０を持ち上げると、その途中においてロック解除作動部４４aがボス３１に当接してストッパー４０がスプリング４１に抗して軸３９を中心として時計方向に回動される。したがって、ストッパ片４２が突起部４３から離脱し、そのストッパ作用がなくなる。そのため、ロック部材３４がスプリング３６によりロック解除位置から図５に示すような位置に自動復帰される。
【００２５】
また、上述のようにベビーカー本体からチャイルドシート１０を取り外した場合には、図９に示すようにハンドル１１を垂直状態にして手で持つことにより、幼児をチャイルドシート１０に寝かせたまま移動するキャリーとして使用することができる。さらに、図１０に示すように、ハンドルをチャイルドシート１０の背当て部とほぼ平行な位置まで傾斜させ、床面に置くと、チャイルドシート１０のロッキングフレーム１４によって揺動可能となり、ロッキングチェアとして使用することができる。また、ハンドルをさらに回動して図１１に示す位置にすると、上記ハンドルによってチャイルドシート１０が床面に固定され、通常の椅子として使用することができる。
【００２６】
【発明の効果】
本発明は上述のように構成したので、チャイルドシートを前記ＩＳＯタイプとユニバーサルタイプの両方に兼用して使用することができるとともに、ベビーカーのシートとして、或いはキャリー、またはロッキングチェア、さらには通常の椅子としても使用することができ、チャイルドシートの使用範囲を大幅に拡大することができる。
【図面の簡単な説明】
【図１】本発明のチャイルドシートの形状を示す図。
【図２】本発明のチャイルドシートをＩＳＯタイプで使用するときの分解斜視図。
【図３】（a）、（ｂ）はチャイルドシートの固定用ベースへの装着手段を示す説明図。
【図４】本発明のチャイルドシートをユニバーサルタイプで使用するときの装着作動状態を示す図。
【図５】本発明のチャイルドシートにおけるロック装置のロック状態を示す図。
【図６】本発明のチャイルドシートにおけるロック装置のロック解除状態を示す図。
【図７】ベビーカー本体へのチャイルドシート取付作動説明図。
【図８】ベビーカー本体にチャイルドシートを取付けた状態を示す図。
【図９】本発明のチャイルドシートをキャリーとして使用する状態を示す図。
【図１０】本発明のチャイルドシートをロッキングチェアとして使用する状態を示す図。
【図１１】本発明のチャイルドシートを通常の椅子として使用する状態を示す図。
【符号の説明】
１０  チャイルドシート
１１  ハンドル
１２  ハンドル取付部
１３  ベルトガイド
１５  係止片
１６  係止杆
１７  第２のベルトガイド
１８  固定用ベース
２０  係止口
２１  係止具
２２  固定用突起部
２５  車のシート
２６  シートベルト
３０  ロック装置
３１  ボス
３４  ロック部材
３５  爪部
４０  ストッパー
４４  ストップ解除杆
【図１】
0004583609.tif 000002
【図２】
0004583609.tif 000003
【図３】
0004583609.tif 000004
【図４】
0004583609.tif 000005
【図５】
0004583609.tif 000006
【図６】
0004583609.tif 000007
【図７】
0004583609.tif 000008
【図８】
0004583609.tif 000009
【図９】
0004583609.tif 000010
【図１０】
0004583609.tif 000011
【図１１】
0004583609.tif 000012